(57)【要約】      （修正有）【課題】二人の幼児と移動する場合に、一方の幼児を乳母車に乗せ、他方の幼児を安定して搭乗させることのできる連結台車を提案する。【解決手段】  幼児１００が搭乗できるボード２と、ボード２の下面に配した車輪１２と、乳母車の後方に連結する連結金具１１を備えたガードつき連結台車１であって、ガードつき連結台車１に搭乗した幼児１００が握持可能なグリップ５３１を備えた。【選択図】    図１
2005335516.tif 000002
【特許請求の範囲】
【請求項１】
幼児が搭乗できるボードと、該ボードの下面に配した車輪と、乳母車の後方に連結する連結手段とを備えた連結台車であって、
前記ボードに搭乗した前記幼児が握持可能な握持手段を備えた
連結台車。
【請求項２】
前記握持手段を折り畳む折り畳み手段を備えた
請求項１に記載の連結台車。
【請求項３】
前記握持手段を取り外す着脱手段を備えた
請求項１に記載の連結台車。
【請求項４】
前記幼児の転落を防止できる転落防止手段を備えた
請求項１に記載の連結台車。
【発明の詳細な説明】
【技術分野】
【０００１】
この発明は、例えば乳母車の後方に連結して幼児を乗せて乳母車と共に移動するような握持手段を備えた連結台車に関する。
【背景技術】
【０００２】
従来、乳母車は乗車定員が１人のものが大半であり、２人の幼児と共に移動する場合、一方の幼児が乳母車に乗り、他方の幼児が保護者と共に歩いていた。しかし、幼児の歩行速度は遅く、長距離の移動は困難であった。このような状態において、乳母車の後方に連結し、保護者と共に歩いていた幼児を搭乗させ、非使用時には折り畳むことのできるチャイルドステップカーが提案されている。
（特許文献１参照）。
【０００３】
【特許文献１】特許第３１１１３８１号公報
【発明の開示】
【発明が解決しようとする課題】
【０００４】
前記チャイルドステップカーは、幼児が搭乗するためのステップと、該ステップの下側に取り付けられた車輪と、前記ステップを乳母車に連結する部材とから構成されている。
【０００５】
しかし、チャイルドステップカーが斜面を移動する場合、または段差を乗り越える場合には不安定になり、搭乗した幼児が転落する危険性があった。
【０００６】
この発明は、上述の問題を鑑み、幼児が安定して搭乗できる連結台車を提案するものである。
【課題を解決するための手段】
【０００７】
この発明は、幼児が搭乗できるボードと、ボードの下面に配した車輪と、乳母車の後方に連結する連結手段を備えた連結台車であって、連結台車に搭乗した幼児が握持可能な握持手段を備えた連結台車であることを特徴とする。
【０００８】
これにより、連結台車が斜面を移動する場合または段差を乗り越える場合においても、搭乗した幼児が安定して搭乗できる。
【０００９】
また、幼児が握持手段を握持できるため、保護者が乳母車を押進するための握持手段と干渉せず、保護者の満足度を向上させることができる。
【００１０】
この発明の態様として、前記握持手段を折り畳む折り畳み手段を備えることができる。  
これにより、握持不要な場合は握持手段を折り畳んで連結台車を使用することもできる。
【００１１】
また、この発明の態様として、前記握持手段を取り外す着脱手段を備えることができる。  
これにより、連結台車の使用する際、握持が必要であれば握持手段を取り付け、握持が不要な場合は取り外すことができる。
【００１２】
また、この発明の態様として、前記幼児の転落を防止する転落防止手段を備えることができる。なお、前記転落防止手段は、前記握持手段と一体で形成してもよく、それぞれ別体で形成してもよい。    
これにより、大きな段差を乗り越えた場合または予想し得ない衝撃が生じた場合等において、幼児が握持手段から離脱して転落することを防止できる。
【００１３】
また、この発明の態様として、少なくとも前記握持手段を折り畳む折り畳み手段を備えることができる。    
これにより、転落防止手段が不要な場合は、握持手段と共に転落防止手段を折り畳んで連結台車を使用することもできる。  
また、握持手段のみを折り畳み、ボードに物品を載置することができ、載置された物品の転落を防止できる。
【００１４】
また、この発明の態様として、少なくとも前記握持手段を取り外す着脱手段を備えることができる。
【００１５】
これにより、転落防止手段が不要な場合は、握持手段と共に取り外すことができる。また、握持手段のみを取り外し、ボードに物品を載置することができ、載置された物品の転落を防止できる。
【発明の効果】
【００１６】
この発明により、乳母車に連結した連結台車に幼児を搭乗させて安全に移動できる。
【発明を実施するための最良の形態】
【００１７】
この発明の一実施形態を以下図面と共に説明する。  
図１は、ガードつき連結台車１を右側上方より見た斜視図を示す。
【００１８】
ガードつき連結台車１は、ボード２と、スタンドガード５とから構成し、ボード２は、基台３と、基台３の上側に連結された踏み板４とから構成している。
【００１９】
基台３は、乳母車と回動自在に連結するための連結金具１１と、下面後部の左右両側に車輪１２を備えている。これによりガードつき連結台車１を使用しない場合は、ガードつき連結台車１を連結金具１１を軸として折り畳み、乳母車に固定することができる。
【００２０】
幼児１００が搭乗するための踏み板４は、基台３にヒンジ３１１で回動自在に連結している。また、踏み板４は該スタンドガード５のためのスタンド部切欠き４２を備えている。  
スタンドガード５は、伸縮可能な伸縮スタンド５１と、ガードパイプ５３から構成している。
【００２１】
伸縮スタンド５１は、３本のスタンドパイプ５１１ａ〜ｃと、該スタンドパイプ５１１ａ〜ｃを固定するスタンドパイプ固定ソケット５１２とから構成し、スタンドパイプ５１１ａの上端にガードパイプ５３を固定するガード固定部５２を備えている。
【００２２】
ガードパイプ５３は、パイプを前方に開いた円弧形状に湾曲させて形成し、両端を内側に折り曲げてグリップ５３１を備えている。
【００２３】
身長が例えば１１０ｃｍ程度の幼児が搭乗することを想定し、踏み板４からガードパイプ５３までの高さは、伸縮スタンド５１を最長にして４５ｃｍ程度であり、ガードパイプ５３は、幼児１００の太ももの付け根の辺りを防護し、幼児１００が正面を向いて無理なくグリップ５３１を握持できる高さとしている。
【００２４】
ガードパイプ５３は、搭乗した幼児１００の側方および後方をガードしており、搭乗中に幼児１００がバランスを崩して場合も安全に搭乗できる。
【００２５】
以上の構成によりグリップ５３１とガードパイプ５３は、一体形成することができ、幼児１００はガードパイプ５３の内側で正立して搭乗することができる。
【００２６】
図２は、ガードつき連結台車１の背面図を示す。  
踏み板４の背面には、後述の踏み板固定フック用溝３５（図４）に係着する踏み板固定フック４１を備え、ガードつき連結台車１使用時には、踏み板４が基台３に固定できるようにしている。
【００２７】
また、ガード固定部５２にはネジ穴を備え、ガード固定ネジ５２１を螺入している。この螺入によって、ガード固定部５２の内側部分のガードパイプ５３を押圧して任意の角度で固定することができる。
【００２８】
ガード固定部５２を軸としてガードパイプ５３を任意の角度で回転させ、ガード固定ネジ５２１で固定することによって、グリップ５３１の高さを無段階に調整できる。
【００２９】
グリップ５３１が、搭乗する幼児１００の腹部手前の高さになるようにガードパイプ５３を回転調整してガード固定ネジ５２１で固定する。これにより、搭乗した幼児１００はグリップ５３１を腹部手前で握持することができる。
【００３０】
図３は、伸縮スタンド５１を右側上方より見た拡大図である。  
スタンドパイプ５１１ｃのスタンド下端部５１５は、スタンドガード５を折り畳む際に、スタンド下端部５１５が後述のスタンド固定孔３２（図４）に干渉しないように、下に凸の半球状に形成している。
【００３１】
また、下端より１ｃｍ程度上方にスタンドガード５を折り畳む際の軸になるスタンド回転軸５１４を左右両側に備えている。
【００３２】
スタンドパイプ５１１ｂの外径をスタンドパイプ５１１ｃの内径よりわずかに小さく形成し、スタンドパイプ５１１ｃの内部にスタンドパイプ５１１ｂを挿入している。
【００３３】
スタンドパイプ５１１ｃの上端部のスタンドパイプ固定ネジ５１３は、ねじ山を施しており、伸縮スタンド５１の軸線方向に数箇所スリットを設けている。
【００３４】
スタンドパイプ固定ネジ５１３の外径は、上端部に向けてスタンドパイプ５１１ｃの本体部よりわずかに小さくなるように形成している。また、内側をネジ加工されたスタンドパイプ固定ソケット５１２の内径もまた、スタンドパイプ５１１ｃの本体部よりわずかに小さく形成している。
【００３５】
これにより、スタンドパイプ固定ソケット５１２をスタンドパイプ固定ネジ５１３に締め付けると、スタンドパイプ固定ネジ５１３の上部内側がスタンドパイプ５１１ｂの外周を押圧し、スタンドパイプ５１１ｂを固定する。
【００３６】
これにより、スタンドパイプ５１１ｂをスタンドパイプ５１１ｃに対する任意の位置で固定することが可能である。
【００３７】
スタンドパイプ５１１ａ（図１）の外径もまた、スタンドパイプ５１１ｂの内径よりわずかに小さく形成し、スタンドパイプ５１１ｂの内部にスタンドパイプ５１１ａを挿入している。
【００３８】
スタンドパイプ５１１ｂもまた、スタンドパイプ固定ネジ５１３とスタンドパイプ固定ソケット５１２を備え、上述の固定方法によってスタンドパイプ５１１ａをスタンドパイプ５１１ｂに対する任意の位置で固定できる。
【００３９】
以上の構成により、伸縮スタンド５１を任意の長さに調整することができる。
【００４０】
図４は、基台３の平面図である。  
基台３上面には、スタンドガード５を折り畳んだ時に、収納するための収納溝３１を備え、収納溝３１はスタンド収納溝３１ａおよびガードパイプ収納溝３１ｂで構成している。ガードパイプ収納溝３１ｂは、使用時のガードパイプ５３と前後方向が逆に形成している。
【００４１】
スタンド収納溝３１ａの後部に、スタンドガード５の使用時に、スタンドパイプ５１１ｃ（図３）を挿入して、固定するための鉛直方向に基台３を貫通したスタンド固定孔３２を備えている。
【００４２】
スタンド固定孔３２の内径は、スタンドパイプ固定ネジ５１３の外径よりわずかに大きく形成している。スタンド固定孔３２の左右の側面にはスタンド回転軸５１４（図３）を上下方向の案内するためのスタンド案内溝３３を備えている。
【００４３】
また、スタンド収納溝３１ａの前方上部に収納時のスタンドガード５を固定するためのスタンド固定バンド３４を備え、基台３の背面には、踏み板固定フック４１が係着するための踏み板固定フック用溝３５を備えている。
【００４４】
図５はスタンド固定孔３２の説明図であり、（ａ）は、スタンド固定孔３２を右側より見た拡大図を示し、（ｂ）は、スタンド固定孔３２を背面から見た拡大図を示す。
【００４５】
スタンド案内溝３３は縦長に形成し、スタンド回転軸５１４が係合し、スタンドガード５の使用時または収納時の上下方向の移動を案内する。
【００４６】
スタンドガード５を設置する際は、スタンド回転軸５１４を軸にして寝位のスタンドガード５を回動して起こし、スタンド回転軸５１４がスタンド案内溝３３の下端に達するまで伸縮スタンド５１をスタンド固定孔３２に挿入する。
【００４７】
このとき、スタンド固定孔３２の内面がスタンドパイプ５１１の外面を拘束することによって、スタンドガード５は自立する。
【００４８】
スタンドガード５を折り畳む際は、スタンド回転軸５１４がスタンド案内溝３３の上端に達するまでスタンドガード５を引き上げ、スタンド回転軸５１４を軸にして、スタンドガード５を前倒し、収納溝３１に収納する。
【００４９】
スタンドガード５を前倒する際に、スタンド下端部５１５がスタンド固定孔３２の上部の後方内面に干渉しないために、収納溝３１に切欠き部２２１を設けている。  
収納溝３１の断面は、伸縮スタンド５１を収納するために下に凸の円弧形状である。
【００５０】
次に、図６（ａ）〜（ｃ）および図７（ｄ）、（ｅ）は、スタンドガード５を折り畳む際のガードつき連結台車１を右側上方より見た斜視図による説明図を示し、説明図と共に折り畳み方法について説明する。
【００５１】
まず（ａ）に示すように、ガードつき連結台車１の使用状態から踏み板固定フック用溝３５に係着している踏み板固定フック４１を外し、踏み板４を回動して上げる。
【００５２】
次に（ｂ）に示すように、最初にガード固定ネジ５２１を緩め、ガード固定部５２を軸にして、グリップ５３１が真下にくるようにガードパイプ５３を回転させて折り畳む。
【００５３】
次に（ｃ）に示すように、スタンドパイプ固定ソケット５１２を緩めて伸縮スタンド５１を短縮する。
【００５４】
次に（ｄ）に示すように、スタンド回転軸５１４がスタンド案内溝３３の上端に達するまでスタンドガード５を引き上げ、スタンド回転軸５１４を軸にして前倒し、収納溝３１に収納する。収納後は、スタンド固定バンド３４で固定する。
【００５５】
次に（ｅ）に示すように、踏み板４を回動させて元の位置に戻し、踏み板固定フック４１を踏み板固定フック用溝３５に係着して、踏み板４を基台３に固定する。
【００５６】
以上の方法により、グリップ５３１およびガードパイプ５３を容易に折り畳み、かつ収納することができる。また、使用の際は、上述の折り畳み方法の逆の手順で設置することができる。
【００５７】
以上に説明した実施形態より、搭乗する幼児１００の身長にあわせてガードパイプ５３およびグリップ５３１の高さを調整することが可能であり、連結台車が斜面を移動する場合または段差を乗り越える場合においても、搭乗した幼児１００が安定して搭乗できる。
【００５８】
また、予想し得ない衝撃が生じた場合等であっても、幼児１００が握持手段から離脱してガードつき連結台車１から転落することを防止できる。
【００５９】
さらにまた、ガードつき連結台車１の非使用時には、ボード２の内部にスタンドガード５を収納し、従来のチャイルドステップカーと同様に折り畳むことが可能である。
【００６０】
なお、上述の実施形態において、案内溝３３およびスタンド回転軸５１４から成る折り畳み手段を備えず、固定式または脱着式のスタンドガード５としてもよい。また、図３に示すスタンドガード５のスタンドパイプ固定ソケット５１２およびスタンドパイプ固定ネジ５１３から成る高さ調整機能を備えず、高さ固定式のスタンドガード５に形成してもよい。
【００６１】
次に、他の実施形態について示す。  
図８（ａ）〜（ｄ）は、例示する他の実施形態の連結台車１０を右側上方より見た斜視図による説明図である。
【００６２】
図８（ａ）は、着脱可能な正面視Ｔ型のスタンド６１をボード６２前方に備えた連結台車１０を示す。該スタンド６１は、支柱６４と、両端にグリップ６３１を備えたハンドル６３とから構成している。
【００６３】
また、支柱６４は、上述の実施形態と同様の高さ調整機能を有し、搭乗する幼児１００に合わせた高さ調整が可能である。これにより、幼児１００は、腹部手前でグリップ６３１を握持して搭乗することができる。
【００６４】
また、スタンド６１は、ボード６２に固定していてもよい。  
スタンド６１のグリップ６３１を握持することによって、搭乗する幼児１００は連結台車が斜面を移動する場合または段差を乗り越える場合においても安定して搭乗できる。
【００６５】
図８（ｂ）は、折り畳み可能な握持するためのバーフレーム７１を備えた連結台車１０を示す。バーフレーム７１は、正面視門型であり、バーフレーム７１の根元をボード７２の前方側面に回動自在に連結しており、連結台車１０使用時には、バーフレーム７１を寝位から起こして固定する。
【００６６】
幼児１００は、バーフレーム７１を握持して、ボード７２に搭乗する。また、バーフレーム７１にロープまたはバンド等で固定した物品をボード７２に載置してもよい。
【００６７】
バーフレーム７１を握持することによって、搭乗する幼児１００は、連結台車が斜面を移動する場合または段差を乗り越える場合においても安定して搭乗でき、また、載置した物品の転落を防止することもできる。
【００６８】
図８（ｃ）は、グリップ８１１を有するガード８１を備えた連結台車１０を示す。該ガード８１は、円形のパイプでボード８２の外形と同形状に形成され、複数本の支柱８３によって支えられている。
【００６９】
幼児１００は、ガード８１の内側でグリップ８１１を握持しながら搭乗する。ガード８１は、グリップ８１１を備えなくてもよく、この場合は、幼児１００はガード８１を直接握持して搭乗可能する。
【００７０】
また、ボード８２に物品を載置してもよい。  
なお、ガード８１は、ボード８２に固定していてもよく、または着脱可能であってもよい。  
これにより、搭乗した幼児１００、または載置した物品の転落を防止することができる。
【００７１】
図８（ｄ）は、折り畳み可能な横方向のガードかつ握持手段を兼ねたバーフレーム９１を左右に備えた連結台車１０を示す。バーフレーム９１は、矩形で形成され、ボード９２上で回動自在に連結している。また、後方にもバーフレーム９１を備え、使用時には各バーフレーム９１を連結して平面視コの字型のガードとしてもよい。
【００７２】
幼児１００は、ボード９２に搭乗して左右のバーフレーム９４を握持する。また、バーフレーム９４にロープまたはバンド等で固定した物品をボード９２に載置してもよい。  
これにより、搭乗した幼児１００、または載置した物品の転落を防止することができる。
【００７３】
図９は、図８（ａ）で示す連結台車１０の連結部６５の拡大図を示す。  
スタンド６４は、下部にスタンド固定フランジ６４１を備え、また下端部にネジ６４２を施している。
【００７４】
連結部６５は、スタンド固定フランジ６４１、ネジ６４２、スタンド固定ナット６４３ならびにスタンド固定ワッシャ６４４から構成している。
【００７５】
ボード６２に備えたスタンド固定孔６２１に、スタンド固定フランジ６４１がボード６２の上面に達するまでスタンド６４を挿入する。スタンド６４の下側よりスタンド固定ワッシャ６４４を介してスタンド固定ナット６４３を螺入してスタンド６４を固定する。
【００７６】
また、スタンド固定ワッシャ６４４を外すことによってスタンド６４は、ボード６２から取り外すことができる。
【００７７】
この発明の構成と、上述の実施形態との対応において、
この発明の連結台車は、ガードつき連結台車１および連結台車１０に対応し、
以下同様に
握持手段は、グリップ５３１に対応し、
転落防止は、ガードパイプ５３に対応し、
折り畳み手段は、案内溝３３とスタンド回転軸５１４に対応し、
着脱手段は、連結部６５に対応するも、
この発明は、上述の実施形態の構成のみに限定されるものではなく、多くの実施の形態を得ることができる。
【図面の簡単な説明】
【００７８】
【図１】ガードつき連結台車１を右側上方より見た斜視図。
【図２】ガードつき連結台車１の背面図。
【図３】伸縮スタンド５１の右側上方より見た拡大図。
【図４】基台３の平面図。
【図５】スタンド固定孔３２の拡大図による説明図。
【図６】スタンドガード５の折り畳みを示す説明図。
【図７】スタンドガード５の折り畳みを示す説明図。
【図８】例示する他の実施形態を示す斜視図による説明図。
【図９】連結部６５の拡大図。
【符号の説明】
【００７９】
１…ガードつき連結台車
２…ボード
１１…連結金具
１２…車輪
３３…案内溝
５３…ガードパイプ
６５…連結部
１００…幼児
５１４…スタンド回転軸
５３１…グリップ
【図１】
2005335516.tif 000003
【図２】
2005335516.tif 000004
【図３】
2005335516.tif 000005
【図４】
2005335516.tif 000006
【図５】
2005335516.tif 000007
【図６】
2005335516.tif 000008
【図７】
2005335516.tif 000009
【図８】
2005335516.tif 000010
【図９】
2005335516.tif 000011